(57)【要約】【課題】ファクシミリ等の画像送信装置において、不適切な濃度の画像データを送信してしまうことを防止する。【解決手段】デジタル複合機１０が画像送信装置として機能するファクシミリモードでは、デジタル複合機１０は、画像読取部１３３を用いて、原稿に描かれた画像を読み取り、ＮＣＵ１３８及びＭＯＤＥＭ１３９を用いて、当該画像に係る画像データを、他のファクシミリへ公衆交換電話網９２を経由して送信する。デジタル複合機１０は、原稿に描かれた画像が鉛筆書きされているか否かを判定し、当該画像が鉛筆書きされていると判定した場合に、画像データのファクシミリ送信に先立って警告を表示部１３６に表示する。【選択図】図１
2007324840.tif 000002
【特許請求の範囲】
【請求項１】
原稿に描かれた画像を読み取り、前記画像に係る画像データを生成する画像読取手段と、
前記画像データを指定された相手先へ送信する送信手段と、
前記画像が鉛筆書きされているか否かを判定する判定手段と、
前記画像が鉛筆書きされていると前記判定手段が判定した場合に、前記送信手段による前記画像データの送信に先立って警告を報知する報知手段と、
を備える画像送信装置。
【請求項２】
濃度設定の変更に応じた濃度変更処理を前記画像データに施す濃度変更手段、
をさらに備え、
前記警告は、濃度設定の変更の要否の問い合わせをともない、
前記問い合わせに応じて濃度設定が変更された場合、
前記送信手段は、前記濃度変更処理が施された前記画像データを送信し、
前記問い合わせに応じて濃度設定が変更されなかった場合、
前記送信手段は、前記濃度変更処理が施されていない前記画像データを送信する、
請求項１に記載の画像送信装置。
【請求項３】
原稿に描かれた画像を読み取り、前記画像に係る画像データを生成する画像読取手段と、
前記画像データを指定された相手先へ送信する送信手段と、
前記画像データの印刷処理を実行する印刷手段と、
前記画像が鉛筆書きされているか否かを判定する判定手段と、
前記画像が鉛筆書きされていると前記判定手段が判定した場合に、前記送信手段による前記画像データの送信に先立って前記印刷処理の実行要否を問い合わせる問い合わせ手段と、
を備え、
前記問い合わせに応じて前記印刷処理の実行が要求された場合、
前記印刷手段は、前記画像データの送信に先立って前記画像データの前記印刷処理を実行する画像送信装置。
【請求項４】
前記印刷処理の実行後、前記画像データの送信指示の待機状態となり、当該待機状態において、濃度設定を変更可能である請求項３に記載の画像送信装置。
【請求項５】
原稿に描かれた画像を読み取り、前記画像に係る画像データを生成する画像読取手段と、
前記画像データを指定された相手先へ送信する送信手段と、
前記画像データの印刷処理を実行する印刷手段と、
前記画像データに対して、濃度設定の変更に応じた濃度変更処理を施す濃度変更手段と、
濃度設定が変更された場合に、前記印刷処理の実行要否を問い合わせる問い合わせ手段と、
を備え、
前記問い合わせに応じて印刷処理の実行が要求された場合、
前記印刷手段は、前記濃度変更処理を施された前記画像データの前記印刷処理を実行する画像送信装置。
【請求項６】
前記印刷処理の実行後、前記画像データの送信指示の待機状態となり、当該待機状態において、濃度設定を変更可能である請求項５に記載の画像送信装置。
【発明の詳細な説明】
【技術分野】
【０００１】
本発明は、原稿に描かれた画像に係る画像データを指定された相手先へ送信する画像送信装置に関する。
【背景技術】
【０００２】
従来、鉛筆で描かれた原稿をファクシミリ送信する場合、受信側のファクシミリにおいて濃度不足で判読できなくなることを防止するために、送信側のファクシミリで画像濃度を適切に調整する必要があった。
【０００３】
なお、特許文献１は、本願発明と関連する先行技術文献であり、送信前に欠陥画素を検出し、欠陥画素がある場合、欠陥画素を補正し、送信ユーザに、補正前画像と補正後画像とを提示して、送信する画像を選択できるようにする技術を開示している。
【０００４】
【特許文献１】特開２００４−１１２３５９号公報
【発明の開示】
【発明が解決しようとする課題】
【０００５】
しかし、従来の技術では、濃度の調整を忘れて、不適切な濃度の画像データを送信してしまうことがあった。また、濃度の調整を忘れていなくても、どの程度濃度を調整すればよいのかが不明であるため、結果として、不適切な濃度の画像データを送信してしまうこともあった。
【０００６】
本願発明は、この問題を解決するためになされたもので、ファクシミリ等の画像送信装置において、不適切な濃度の画像データを送信してしまうことを防止することを目的とする。
【課題を解決するための手段】
【０００７】
上記課題を解決するため、請求項１の発明は、原稿に描かれた画像を読み取り、前記画像に係る画像データを生成する画像読取手段と、前記画像データを指定された相手先へ送信する送信手段と、前記画像が鉛筆書きされているか否かを判定する判定手段と、前記画像が鉛筆書きされていると前記判定手段が判定した場合に、前記送信手段による前記画像データの送信に先立って警告を報知する報知手段とを備える画像送信装置である。
【０００８】
請求項２の発明は、濃度設定の変更に応じた濃度変更処理を前記画像データに施す濃度変更手段をさらに備え、前記警告は、濃度設定の変更の要否の問い合わせをともない、前記問い合わせに応じて濃度設定が変更された場合、前記送信手段は、前記濃度変更処理が施された前記画像データを送信し、前記問い合わせに応じて濃度設定が変更されなかった場合、前記送信手段は、前記濃度変更処理が施されていない前記画像データを送信する、請求項１に記載の画像送信装置である。
【０００９】
請求項３の発明は、原稿に描かれた画像を読み取り、前記画像に係る画像データを生成する画像読取手段と、前記画像データを指定された相手先へ送信する送信手段と、前記画像データの印刷処理を実行する印刷手段と、前記画像が鉛筆書きされているか否かを判定する判定手段と、前記画像が鉛筆書きされていると前記判定手段が判定した場合に、前記送信手段による前記画像データの送信に先立って前記印刷処理の実行要否を問い合わせる問い合わせ手段とを備え、前記問い合わせに応じて前記印刷処理の実行が要求された場合、前記印刷手段は、前記画像データの送信に先立って前記画像データの前記印刷処理を実行する画像送信装置である。
【００１０】
請求項４の発明は、前記印刷処理の実行後、前記画像データの送信指示の待機状態となり、当該待機状態において、濃度設定を変更可能である請求項３に記載の画像送信装置である。
【００１１】
請求項５の発明は、原稿に描かれた画像を読み取り、前記画像に係る画像データを生成する画像読取手段と、前記画像データを指定された相手先へ送信する送信手段と、前記画像データの印刷処理を実行する印刷手段と、前記画像データに対して、濃度設定の変更に応じた濃度変更処理を施す濃度変更手段と、濃度設定が変更された場合に、前記印刷処理の実行要否を問い合わせる問い合わせ手段とを備え、前記問い合わせに応じて印刷処理の実行が要求された場合、前記印刷手段は、前記濃度変更処理を施された前記画像データの前記印刷処理を実行する画像送信装置である。
【００１２】
請求項６の発明は、前記印刷処理の実行後、前記画像データの送信指示の待機状態となり、当該待機状態において、濃度設定を変更可能である請求項５に記載の画像送信装置である。
【発明の効果】
【００１３】
請求項１又は請求項２の発明によれば、原稿に描かれた画像が鉛筆書きされていることを画像データの送信に先立って知ることができるので、不適切な濃度の画像データを送信してしまうことを防止可能である。
【００１４】
請求項２の発明によれば、原稿に描かれた画像が鉛筆書きされていることを警告により知った後で濃度設定を変更する場合でも、画像の読み取りをやり直す必要がない。
【００１５】
請求項３又は請求項４の発明によれば、原稿に描かれた画像が鉛筆書きされている場合、画像データの送信に先立って、画像データの印刷物を確認することができるので、不適切な濃度の画像データを送信してしまうことを防止可能である。
【００１６】
請求項４の発明によれば、適切な濃度の画像データを送信することが容易になる。
【００１７】
請求項５又は請求項６の発明によれば、濃度設定を変更した場合、画像データの送信に先立って、画像データの印刷物を確認することができるので、不適切な濃度の画像データを送信してしまうことを防止可能である。
【００１８】
請求項６の発明によれば、適切な濃度の画像データを送信することが容易になる。
【発明を実施するための最良の形態】
【００１９】
＜１  第１実施形態＞
＜１．１  デジタル複合機の構成＞
図１は、本発明の第１実施形態に係るデジタル複合機（ＭＦＰ；Multi Function Peripherals）１０の構成を示すブロック図である。
【００２０】
図１に示すように、デジタル複合機１０は、ＭＰＵ（マイクロプロセッサ；MicroProcessor Unit）１１１、ＲＯＭ１１２及びＲＡＭ１１３を備える。ＭＰＵ１１１、ＲＯＭ１１２及びＲＡＭ１１３によって実現されるマイクロコンピュータ１１０は、ＲＯＭ１１２に格納されたプログラムを実行することにより、デジタル複合機１０の各構成を統括制御し、デジタル複合機１０の各種機能を実現している。また、デジタル複合機１０の画像メモリ１３２は、デジタル複合機１０が処理対象とする画像を画像データとして記憶する。
【００２１】
デジタル複合機１０は、画像読取部１３３及び画像記録部１３４を備える。画像読取部１３３は、ＣＣＤ（Charge Coupled Device）イメージセンサ等により原稿に描かれた画像を読み取り、当該画像に係る画像データを生成する。画像読取部１３３が生成した非圧縮の画像データ（イメージデータ）は、イメージメモリ１４０に一時的に記憶される。画像読取部１３３は、ＡＤＦ（Automatic Document Feeder）方式又はＦＢＳ（Flat Bed Scanner）方式により原稿に描かれた画像を読み取る。画像記録部１３４は、電子写真方式により、画像データの印刷処理を実行し、当該画像データに係る画像を記録紙等の記録媒体上に形成する。
【００２２】
デジタル複合機１０には、ユーザインターフェースとして、操作の対象となる操作部１３５と、情報を視認可能に表示する表示部１３６とが設けられる。デジタル複合機１０では、表示部１３６に液晶タッチパネルディスプレイが採用されており、表示部１３６が操作部１３５の一部を兼ね備えている。
【００２３】
ネットワークインターフェース１３７は、例えば、イーサネット（登録商標）により、デジタル複合機１０をネットワーク９１に接続する。
【００２４】
ＮＣＵ（網制御装置；Network Control Unit）１３８及びＭＯＤＥＭ（モデム；MOdulator DEModulator）１３９は、公衆交換電話網９２を経由した画像データの送受信に用いられる。ＮＣＵ１３８は、公衆交換電話網９２への接続を制御する。ＮＣＵ１３８は、相手先の電話番号に対応したダイヤル信号を送出する機能及び着信を検出する機能を備える。ＭＯＤＥＭ１３９は、ＩＴＵ（国際電気通信連合）−Ｔ勧告Ｔ.３０にしたがったファクシミリ伝送制御手順に基づいて、Ｖ．１７，Ｖ．２７ｔｅｒ，Ｖ．２９等にしたがった送信データの変調及び受信データの復調を行う。又は、ＭＯＤＥＭ１３９は、これらに加えて、Ｖ．３４にしたがった送信データの変調及び受信データの復調を行う。
【００２５】
ＣＯＤＥＣ１４１は、イメージメモリ１４０に記憶された非圧縮の画像データを、ＭＨ、ＭＲ及びＭＭＲ方式等により圧縮・符号化（エンコード）して送信データを生成するとともに、ＭＯＤＥＭ１３９によって復調された受信データを伸張・復号（デコート）する。
【００２６】
コピーモードでは、デジタル複合機１０は、画像読取部１３３を用いて原稿に描かれた画像を読み取り、画像記録部１３４を用いて当該画像を記録紙等の記録媒体上に形成することにより、原稿から記録媒体へ画像をコピーする。
【００２７】
デジタル複合機１０が画像送信装置として機能するファクシミリモードでは、デジタル複合機１０は、画像読取部１３３を用いて、原稿に描かれた画像を読み取り、ＮＣＵ１３８及びＭＯＤＥＭ１３９を用いて、当該画像に係る画像データを、他のファクシミリへ公衆交換電話網９２を経由して送信する（ファクシミリ送信）。また、デジタル複合機１０は、ＮＣＵ１３８及びＭＯＤＥＭ１３９を用いて、他のファクシミリから公衆交換電話網９２を経由して送信されてきた画像データを受信し、画像記録部１３４を用いて、当該画像データに係る画像を記録媒体上に形成する（ファクシミリ受信）。
【００２８】
同じくデジタル複合機１０が画像送信装置として機能するインターネットファクシミリモードでは、デジタル複合機１０は、画像読取部１３３を用いて、原稿に描かれた画像を読み取り、ネットワークインターフェース１３７を用いて、当該画像に係る画像データを、他のインターネットファクシミリへネットワーク９１を経由して送信する（インターネットファクシミリ送信）。また、デジタル複合機１０は、ネットワークインターフェース１３７を用いて、他のインターネットファクシミリからネットワーク９１を経由して送信されてきた画像データを受信し、画像記録部１３４を用いて、当該画像データに係る画像を記録媒体上に形成する（インターネットファクシミリ受信）。
【００２９】
スキャナモードでは、デジタル複合機１０は、画像読取部１３３を用いて、原稿に描かれた画像を読み取り、当該画像に係る画像データを画像メモリ１３２へ蓄積する。
【００３０】
プリンタモードでは、デジタル複合機１０は、パーソナルコンピュータからネットワーク９１を経由して送信されてきた画像データを受信し、画像記録部１３４を用いて、当該画像データに係る画像を記録媒体上に形成する。
【００３１】
＜１．２  ファクシミリ送信＞
図２及び図３は、デジタル複合機１０から他のファクシミリへファクシミリ送信を行う場合の手順を示すフローチャートである。
【００３２】
図２に示すように、デジタル複合機１０は、ファクシミリ送信にあたって、まず、画像読取部１３３への原稿のセットを検出し（ステップＳ１０１）、相手先の電話番号や画質モード等の設定を操作部１３５で受け付ける（ステップＳ１０２）。その上で、デジタル複合機１０は、操作部１３５のスタートキーの押下を検出すると（ステップＳ１０３で"YES"）、原稿に描かれた画像を画像読取部１３３に読み取らせ、画像読取部１３３が生成した画像データに対する画像処理を開始する（ステップＳ１０４）。一方、スタートキーが押下されるまでは（ステップＳ１０３で"NO"）、デジタル複合機１０は、相手先の電話番号や画質モード等の設定等を随時受け付ける（ステップＳ１０２）。
【００３３】
マイクロコンピュータ１１０がＲＯＭ１１２に格納されたプログラムを実行することにより行われる当該画像処理においては、デジタル複合機１０は、まず、原稿に描かれた画像が鉛筆（シャープペンシルを含む）書きされているか否かを判定し（ステップＳ１０５）、鉛筆書きされていると判定した場合（ステップＳ１０５で"YES"）、表示部１３６に警告を表示するとともに、送信する画像の濃度設定の変更の要否を問い合わせた後に（ステップＳ１０６）、画像読取部１３３が生成した非圧縮の画像データをイメージメモリ１４０に蓄積する（ステップＳ１０７）。このような画像データのファクシミリ送信に先立つ警告の報知により、デジタル複合機１０の操作者は、原稿に描かれた画像が鉛筆書きされていることを画像データのファクシミリ送信に先立って知ることができるので、不適切な濃度の画像データを送信してしまうことがない。一方、デジタル複合機１０は、原稿に描かれた画像が鉛筆書きされていないと判定した場合（ステップＳ１０５で"NO"）、警告表示や濃度設定の変更の要否の問い合わせを行うことなく、画像読取部１３３が生成した非圧縮の画像データをイメージメモリ１４０に蓄積する（ステップＳ１０７）。
【００３４】
続いて、図３に示すように、デジタル複合機１０は、イメージメモリ１４０に蓄積された非圧縮の画像データを読み出して、濃度処理を行い、濃度設定に応じた２値化処理を施した上で（ステップＳ１０８）、非圧縮の画像データをＣＯＤＥＣ１４１を用いて符号化し（ステップＳ１０９）、圧縮された画像データを画像メモリ１３２に蓄積する（Ｓ１１０）。
【００３５】
ここで、デジタル複合機１０は、ステップＳ１０６の問い合わせに応じて、操作者が濃度設定を操作部１３５を用いて変更したことを検出すると（ステップＳ１１１で"YES"）、変更後の濃度設定を適用して（ステップＳ１１２）、再びステップＳ１０８〜Ｓ１１０を実行することにより、濃度設定の変更に応じた濃度変更処理を画像データに対して施す。これにより、デジタル複合機１０では、原稿に描かれた画像が鉛筆書きされていることを警告により知った後で濃度設定を変更する場合でも、画像の読み取りをやり直す必要がない。一方、デジタル複合機１０は、濃度設定の変更を検出できない場合（ステップＳ１１１で"NO"）、画像メモリ１３２に蓄積されている画像データを、ＮＣＵ１３８及びＭＯＤＥＭ１３９を用いて、ステップＳ１０２で指定された相手先へ送信する（ステップＳ１１３）。したがって、デジタル複合機１０は、ステップＳ１０６の問い合わせに応じて操作者が濃度設定を変更した場合、濃度変更処理が施された画像データを指定された相手先に送信することになり、ステップＳ１０６の問い合わせに応じて操作者が濃度設定を変更しなかった場合、濃度変更処理が施されていない画像データを指定された相手先に送信することになる。
【００３６】
ここで、ステップＳ１０５における判定の方法は、特に制限されないが、例えば、鉛筆書きと推定される低コントラストの領域、すなわち、輝度成分や明度成分が鉛筆書きに相当する領域が画像中で占める割合が所定の閾値を超える場合に、原稿に描かれた画像が鉛筆書きされていると判定することができる。
【００３７】
また、ステップＳ１０８の２値化において、２値スライスレベル、すなわち、黒画素か白画素かを決める輝度成分や明度成分の閾値を濃度設定に応じて決定して実行するようにすれば、デジタル複合機１０において、濃度設定の変更に応じた濃度変更処理を実現することができる。もちろん、２値化後の画像において、黒画素を太らせる処理、すなわち、黒画素に隣接する白画素を黒画素へ変更する処理を併用してもよい。このような黒画素を太らせる処理は、例えば、幅が１画素分しかないような細い線を含む場合に特に効果的である。
【００３８】
なお、上述の説明では、ファクシミリ送信を行う場合の手順について説明したが、インターネットファクシミリ送信を行う場合にも同様の手順を採用可能である。この点は、以下で説明する第２実施形態及び第３実施形態においても同様である。
【００３９】
＜２  第２実施形態＞
本発明の第２実施形態に係るデジタル複合機２０は、第１実施形態に係るデジタル複合機１０と類似の構成を有しており、図１に対する先述の説明は、デジタル複合機２０にも当てはまる。ただし、デジタル複合機２０では、他のファクシミリへファクシミリ送信を行う場合の手順がデジタル複合機１０と異なっているので、以下では、この点について特に説明する。
【００４０】
＜２．１  ファクシミリ送信＞
図４及び図５は、デジタル複合機２０から他のファクシミリへファクシミリ送信を行う場合の手順を示すフローチャートである。
【００４１】
図４及び図５に示すように、デジタル複合機２０は、ファクシミリ送信にあたって、第１実施形態のステップＳ１０１〜Ｓ１１０と同様の処理をステップＳ２０１〜Ｓ２１０において行う。ただし、デジタル複合機２０は、ステップＳ２０６において、送信する画像の濃度設定の変更の要否を問い合わせるだけでなく、テストプリントの要否をも問い合わせる。
【００４２】
そして、デジタル複合機２０は、ステップＳ２０６の問い合わせに応じて、操作者がテストプリントを操作部１３５を用いて要求したことを検出すると（ステップＳ２１１で"YES"）、画像メモリ１３２から圧縮された画像データを読み出してＣＯＤＥＣ１４１を用いて伸張し（ステップＳ２１２）、テストプリント、すなわち、読み出した画像データの印刷処理を画像記録部１３４に実行させる（ステップＳ２１３）。このテストプリントにより、デジタル複合機２０の操作者は、原稿に描かれた画像が鉛筆書きされている場合、画像データのファクシミリ送信に先立って、画像データの印刷物を確認することができるので、不適切な濃度の画像データを送信してしまうことを防止可能である。もちろん、デジタル複合機２０は、テストプリントの要求を検出できない場合（ステップＳ２１１で"NO"）、テストプリントは行わない。
【００４３】
さらに、デジタル複合機２０は、ステップＳ２０６の問い合わせに応じて、操作者が濃度設定を操作部１３５を用いて変更したことを検出すると（ステップＳ２１１で"YES"）、変更後の濃度設定を適用して（ステップＳ２１５）、再びステップＳ２０８〜Ｓ２１０を実行することにより、濃度設定の変更に応じた濃度変更処理を画像データに対して施す。ただし、デジタル複合機２０では、ステップＳ２０８〜Ｓ２１０の実行に先立って、表示部２３６を用いて、テストプリントの要否の問い合わせを行う（ステップＳ２１６）。
【００４４】
デジタル複合機２０は、ステップＳ２１６の問い合わせに応じて操作者がテストプリントを操作部１３５を用いて要求したことを検出すると（ステップＳ２１１で"YES"）、ステップＳ２０８〜Ｓ２１０の実行後、画像メモリ１３２から画像データを読み出してＣＯＤＥＣ１４１を用いて伸張し（ステップＳ２１２）、テストプリントを画像記録部１３４に実行させる（ステップＳ２１３）。このようなテストプリントより、デジタル複合機２０の操作者は、濃度設定を変更した場合、画像データの送信に先立って、画像データの印刷物を確認することができるので、不適切な濃度の画像データを送信してしまうことがない。
【００４５】
そして、デジタル複合機２０は、濃度設定の変更を検出できない場合（ステップＳ２１４で"NO"）、画像メモリ１３２に蓄積されている画像データを、ＮＣＵ１３８及びＭＯＤＥＭ１３９を用いて、ステップＳ２０２で指定された相手先へ送信する（ステップＳ２１７）。したがって、デジタル複合機２０も、ステップＳ２０６の問い合わせに応じて操作者が濃度設定を変更した場合、濃度変更処理が施された画像データを指定された相手先に送信することになり、ステップＳ２０６の問い合わせに応じて操作者が濃度設定を変更しなかった場合、濃度変更処理が施されていない画像データを指定された相手先に送信することになる。
【００４６】
＜３  第３実施形態＞
本発明の第３実施形態に係るデジタル複合機３０は、第１実施形態に係るデジタル複合機１０と類似の構成を有しており、図１に対する先述の説明は、デジタル複合機３０にも当てはまる。ただし、デジタル複合機３０では、他のファクシミリへファクシミリ送信を行う場合の手順がデジタル複合機１０と異なっているので、以下では、この点について特に説明する。
【００４７】
＜３．１  ファクシミリ送信＞
第３実施形態に係るデジタル複合機３０は、第２実施形態に係るデジタル複合機２０と類似のファクシミリ送信の手順を採用しているが、ステップＳ２１７の送信処理を、送信指示が与えられるのに同期して実行し、当該送信指示が与えられるまでは、送信指示の待機状態となっている点がデジタル複合機２０と異なっている。したがって、デジタル複合機３０は、ステップＳ２１３のテストプリントの実行後、送信指示の待機状態となり、その待機状態において、濃度設定を随時変更可能である点がデジタル複合機２０と異なっている。このようなデジタル複合機３０では、テストプリントで濃度が適切でないことが判明した場合には、さらに濃度設定を変更することができ、適切な濃度の画像データを送信することが容易になっている。
【図面の簡単な説明】
【００４８】
【図１】本発明の第１実施形態に係るデジタル複合機１０の構成を示すブロック図である。
【図２】デジタル複合機１０から他のファクシミリへファクシミリ送信を行う場合の手順を示すフローチャートである。
【図３】デジタル複合機１０から他のファクシミリへファクシミリ送信を行う場合の手順を示すフローチャートである。
【図４】デジタル複合機２０から他のファクシミリへファクシミリ送信を行う場合の手順を示すフローチャートである。
【図５】デジタル複合機２０から他のファクシミリへファクシミリ送信を行う場合の手順を示すフローチャートである。
【符号の説明】
【００４９】
１０，２０，３０  デジタル複合機
１１０  マイクロコンピュータ
１３２  画像メモリ
１３３  画像読取部
１３４  画像記録部
１３５  操作部
１３６  表示部
１３８  ＮＣＵ
１３９  ＭＯＤＥＭ
１４０  イメージメモリ
１４１  ＣＯＤＥＣ
【図１】
2007324840.tif 000003
【図２】
2007324840.tif 000004
【図３】
2007324840.tif 000005
【図４】
2007324840.tif 000006
【図５】
2007324840.tif 000007